(57)【特許請求の範囲】
【請求項１】
デジタルテレビ放送を受信するためのテレビ受像機において、
アンテナにより受信された上記デジタルテレビ放送の放送波信号から受信データストリームを取り出すとともに、上記受信データストリームにおけるエラーレイトを示すデータを出力するフロントエンド回路と、
上記受信データストリームから高階層または低階層の画像の目的とする番組のデジタルビデオデータを出力するデジタルビデオデータ出力回路と、
ホワイトノイズ信号のデジタルビデオデータを形成する形成回路と、
上記番組のデジタルビデオデータに上記ホワイトノイズ信号のデジタルビデオデータを重畳する重畳回路と、
上記フロントエンド回路、上記デジタルビデオデータ出力回路、上記形成回路、および上記重畳回路を制御する制御部と、
ユーザにより操作される操作部と
を有し、
上記制御部は、
上記フロントエンド回路により出力された上記エラーレイトの大きさが所定の基準値よりも低いとき、上記高階層の画像の上記番組のデジタルビデオデータを取り出すように上記デジタルビデオデータ出力回路を制御し、
上記エラーレイトの大きさが上記基準値を越えたとき、上記低階層の画像の上記番組のデジタルビデオデータを取り出すように上記デジタルビデオデータ出力回路を制御するとともに、取り出された上記番組のデジタルビデオデータに上記ホワイトノイズ信号のデジタルビデオデータを、上記操作部の操作により変更された重畳レベルの割り合いで重畳して出力するように上記重畳回路を制御する
テレビ受像機。
【請求項２】
請求項１に記載のテレビ受像機において、
上記形成回路は、アナログテレビ放送の受信回路であり、
上記受信回路は、空きチャンネルを受信しているときに得られるノイズ信号を上記ホワイトノイズ信号とするとともに、上記ホワイトノイズ信号をデジタルビデオデータに変換する
テレビ受像機。
【請求項３】
請求項１に記載のテレビ受像機において、
上記ホワイトノイズ信号のデジタルビデオデータがメモリに用意されている
テレビ受像機。
【請求項４】
請求項１に記載のテレビ受像機において、
上記制御部は、上記ホワイトノイズ信号のデジタルビデオデータを演算処理により形成する
テレビ受像機。
【発明の詳細な説明】
【０００１】
【発明の属する技術分野】
この発明は、デジタルテレビ放送を受信するためのテレビ受像機に関する。
【０００２】
【従来の技術】
放送衛星（ＢＳ）を使用するデジタルテレビ放送が実用化されているが、放送衛星から送信される放送波は、周波数の関係で降雨によって大きく減衰してしまう。このため、降雨時には、受信した放送波信号のＣ／Ｎが低下してデジタル信号のエラーレイトが大きくなり、画像の遮断がひんぱんに起きてしまう。
【０００３】
そこで、ＢＳ／広帯域ＣＳデジタル放送規格（ＡＲＩＢ  ＳＴＤ−Ｂ２０「ＢＳ／広帯域ＣＳデジタル放送の送信・運用条件」第２部第３章）において、階層変調サービスが定義されている。これは、高階層の画像を放送するとき、同一内容（同一番組）の画像を、低階層ではあるが耐エラー強度を高めて同時に放送するものである。
【０００４】
したがって、受像機は、降雨などにより受信した放送波信号のＣ／Ｎが低下したとき、高階層の画像から低階層の画像に切り換えれば、低階層ではあるが、遮断のほとんどない画像を確保できることになる。ただし、実際には、低階層の画像は、すべての高階層の画像について放送されるとは限らない。
【０００５】
【発明が解決しようとする課題】
ところが、低階層の画像の場合には、ビデオ信号そのものは低容量伝送となるので、動画像のとき、その画像にブロック歪みやモスキートノイズが目立ってしまう。
【０００６】
この発明は、このような問題点を解決しようとするものである。
【０００７】
【課題を解決するための手段】
この発明においては、例えば、デジタルテレビ放送を受信するためのテレビ受像機において、アンテナにより受信された上記デジタルテレビ放送の放送波信号から受信データストリームを取り出すとともに、上記受信データストリームにおけるエラーレイトを示すデータを出力するフロントエンド回路と、上記受信データストリームから高階層または低階層の画像の目的とする番組のデジタルビデオデータを出力するデジタルビデオデータ出力回路と、ホワイトノイズ信号のデジタルビデオデータを形成する形成回路と、上記番組のデジタルビデオデータに上記ホワイトノイズ信号のデジタルビデオデータを重畳する重畳回路と、上記フロントエンド回路、上記デジタルビデオデータ出力回路、上記形成回路、および上記重畳回路を制御する制御部と、ユーザにより操作される操作部とを有し、上記制御部は、上記フロントエンド回路により出力された上記エラーレイトの大きさが所定の基準値よりも低いとき、上記高階層の画像の上記番組のデジタルビデオデータを取り出すように上記デジタルビデオデータ出力回路を制御し、上記エラーレイトの大きさが上記基準値を越えたとき、上記低階層の画像の上記番組のデジタルビデオデータを取り出すように上記デジタルビデオデータ出力回路を制御するとともに、取り出された上記番組のデジタルビデオデータに上記ホワイトノイズ信号のデジタルビデオデータを、上記操作部の操作により変更された重畳レベルの割り合いで重畳して出力するように上記重畳回路を制御するテレビ受像機とするものである。したがって、受信した放送波信号のＣ／Ｎが低下したときには、低階層のビデオ信号により画像が表示されるとともに、その画像にはホワイトノイズが重畳される。
【０００８】
【発明の実施の形態】
図１は、この発明を適用したテレビ受像機の一形態を示し、このテレビ受像機１００は、デジタルテレビ放送の受信回路１０と、現行のアナログテレビ放送の受信回路２０と、システム制御用のマイクロコンピュータ４０とを有する。
【０００９】
そして、デジタルテレビ放送の受信時には、放送衛星から送信されてくる放送波信号がパラボラアンテナ１１１により受信されるとともに、屋外ユニット１１２により所定の周波数の第１中間周波信号に周波数変換され、この第１中間周波信号が受像機１００の受信回路１０に供給される。
【００１０】
そして、この受信回路１０においては、屋外ユニット１１２からの第１中間周波信号が、アンテナ端子１１を通じてフロントエンド回路１２に供給されて、選局、復調および誤り訂正などの処理が実行され、受信データストリームが取り出される。そして、この受信データストリームがデスクランブル回路１３に供給されて有料放送の受信契約情報に基づいてデスクランブル処理が行われ、トランスポートストリームがデコードされ、このトランスポートストリームがデマルチプレクサ回路１４に供給されて各チャンネルごとに並び換えられるとともに、ユーザによって指定されたチャンネルの番組データが取り出される。
【００１１】
そして、この取り出された番組データにおけるビデオストリームがＭＰＥＧデコーダ回路１５に供給されてもとのデジタルビデオデータがデコードされ、このデジタルビデオデータが、後述する重畳回路３１を通じてビデオ回路３２に供給されて、表示のための各種の処理が行われるとともに、アナログビデオ信号にＤ／Ａ変換され、このアナログビデオ信号がカラーディスプレイデバイス、例えばカラーＣＲＴ３３に供給される。したがって、今の場合、放送衛星によるデジタルテレビ放送を観ることができる。
【００１２】
また、アナログテレビ放送の受信時には、送信塔から送信されてくる放送波信号がアンテナ１２１により受信され、この放送波信号が受像機１００の受信回路２０に供給される。
【００１３】
そして、受信回路２０においては、アンテナ１２１からの放送波信号が、アンテナ端子２１を通じてチューナ回路２２に供給されて、選局、周波数変換および復調などの処理が実行され、アナログのカラーコンポジット信号が取り出される。そして、このカラーコンポジット信号がＹ／Ｃ分離回路２３に供給されて輝度信号および色差信号に分離され、これら輝度信号および色差信号がＡ／Ｄコンバータ回路２４に供給されてデジタルビデオデータにＡ／Ｄ変換される。
【００１４】
そして、このデジタルビデオデータが重畳回路３１を通じてビデオ回路３２に供給されて、表示のための各種の処理が行われるとともに、アナログビデオ信号にＤ／Ａ変換され、このアナログビデオ信号がカラーＣＲＴ３３に供給される。したがって、今の場合、アナログテレビ放送を観ることができる。
【００１５】
また、マイクロコンピュータ４０は、ＣＰＵ４１と、ＲＯＭ４２と、ワークエリア用のＲＡＭ４３と、ユーザインターフェイス４４とを有し、これらがシステムバス４５を通じて互いに接続されている。この場合、ＲＯＭ４２は、例えばフラッシュメモリにより構成され、ＣＰＵ４１が実行する各種のプログラムが書き込まれているとともに、例えば図２に示すルーチン２００も書き込まれている。また、ユーザインターフェイス４４は、ユーザにより操作される各種の操作キー（操作スイッチ）などである。
【００１６】
また、ルーチン２００は、降雨などにより受信回路１０に供給される放送波信号のＣ／Ｎが低下したときに、所定の処理を実行するためのものであり、その詳細については後述するが、デジタルテレビ放送の受信時には、例えば一定の周期で繰り返し実行される。なお、図２においては、ルーチン２００は、この発明に関係する部分だけを抜粋して示している。
【００１７】
そして、デジタルテレビ放送の受信時には、マイクロコンピュータ４０からバス４５を通じて受信回路１０のそれぞれの回路１２〜１５に制御データが供給され、上記のようにユーザによって指定されたチャンネルの番組データの選択などが実現される。また、アナログテレビ放送の受信時には、マイクロコンピュータ４０からバス４５を通じて受信回路２０のチューナ回路２２に選局データが供給され、目的とするチャンネルが選択される。
【００１８】
さらに、デスクランブル回路１３に供給される受信データストリームのエラーレイトを示すデータＤERRが、フロントエンド回路１２から取り出され、このデ ータＤERRがマイクロコンピュータ４０に供給される。また、重畳回路３１は、 ＭＰＥＧデコーダ回路１５から出力されるデジタルビデオデータと、Ａ／Ｄコンバータ回路２４から出力されるデジタルビデオデータとを選択的に取り出すとともに、両デジタルビデオデータを混合して取り出すこともできるように構成されている。そして、その取り出しがマイクロコンピュータ４０からの制御データにより制御される。
【００１９】
このような構成において、デジタルテレビ放送の受信時には、マイクロコンピュータ４０により、受信回路１０が制御されて目的とするチャンネルの番組が選択されるとともに、重畳回路３１が受信回路１０の出力信号を選択するように制御される。したがって、デジタルテレビ放送における任意の番組を観ることができる。
【００２０】
また、アナログテレビ放送の受信時には、マイクロコンピュータ４０により、受信回路２０が制御されて目的とするチャンネルが選択されるとともに、重畳回路３１が受信回路２０の出力信号を選択するように制御される。したがって、アナログテレビ放送における任意のチャンネルを観ることができる。
【００２１】
そして、デジタルテレビ放送の受信時には、ＣＰＵ４１によりルーチン２００が以下のように実行される。すなわち、デジタルテレビ放送の受信時には、ＣＰＵ４１の処理がルーチン２００のステップ２０１からスタートし、次にステップ２０２において、フロントエンド回路１２から出力されているエラーレイトのデータＤERRをチェックすることにより、現在フロントエンド回路１２からデスク ランブル回路１３に供給される受信データストリームのエラーレイトの大きさが比較・判別され、このエラーレイトが所定の基準値ＲTHよりも低いときには、処理はステップ２０２からステップ２０４に進む。
【００２２】
そして、このステップ２０４において、デマルチプレクサ回路１４が高階層の画像となるチャンネルの番組データを取り出すように設定されているかどうかが判別され、高階層の画像となるチャンネルの番組データを取り出すように設定されていないときには、処理はステップ２０４からステップ２０５に進み、このステップ２０５において、デマルチプレクサ回路１４が制御されて高階層の画像となるチャンネルの番組データが取り出される。そして、その後、ステップ２０６によりルーチン２００を終了する。
【００２３】
また、ステップ２０４において、すでに高階層の画像となるチャンネルの番組データを取り出すように設定されているときには、処理はステップ２０４からステップ２０６に進む。
【００２４】
したがって、今の場合、すなわち、デジタルテレビ放送を低いエラーレイトで受信できる場合には、それまでに選択されていた画像の階層にかかわらず高階層の画像が表示される。
【００２５】
一方、デジタルテレビ放送の受信中に降雨などがあると、受信した放送波信号のＣ／Ｎが低下してデジタル信号のエラーレイトが大きくなるが、このエラーレイトが基準値ＲTHよりも高くなると、これがステップ２０２において判別され、処理はステップ２０２からステップ２０３に進む。
【００２６】
そして、このステップ２０３において、現在選択しているチャンネルの番組に低階層の番組データが放送されているかどうかがチェックされ、低階層の番組データが放送されているときには、処理はステップ２０３からステップ２１１に進み、このステップ２１１において、デマルチプレクサ回路１４が低階層の画像となるチャンネルの番組データを取り出すように設定されているかどうかが判別され、低階層の画像となるチャンネルの番組データを取り出すように設定されていないときには、処理はステップ２１１からステップ２１２に進み、このステップ２１２において、デマルチプレクサ回路１４が制御されて低階層の画像となるチャンネルの番組データが取り出される。
【００２７】
そして、その後、処理はステップ２１３に進み、このステップ２１３において、チューナ回路２２が制御されて空きチャンネルが受信チャンネルとされる。したがって、このとき、チューナ回路２２からはホワイトノイズの信号（ランダムノイズの信号）が出力されるようになり、重畳回路３１にはホワイトノイズのデジタルビデオデータが供給されるようになる。なお、このとき、上記のようにデコーダ回路１５からは低階層の画像のデジタルビデオデータが出力され、これも重畳回路３１に供給されている。
【００２８】
続いて、処理はステップ２１４に進み、このステップ２１４において、重畳回路３１は、デコーダ回路１５からのデジタルビデオデータに、Ａ／Ｄコンバータ回路２４からのデジタルビデオデータを所定の割り合いで重畳する状態に設定され、その後、ステップ２０６に進む。
【００２９】
したがって、ステップ２１４が実行された時点から、重畳回路３１からは、低階層の画像のビデオ信号に、ホワイトノイズのビデオ信号が重畳されたデジタルビデオデータが出力され、このデジタルビデオデータがビデオ回路３２により処理されてからＣＲＴ３３に供給される。
【００３０】
すると、ＣＲＴ３３に表示される画像は、低階層の画像に、ホワイトノイズが重畳された画像となるので、このとき、その画像にブロック歪みやモスキートノイズを生じていても、このブロック歪みやモスキートノイズは相対的に目立たなくなる。また、ホワイトノイズが重畳された画像は、アナログテレビ放送において、受信電界レベルが低いときに生じる画像と同じであり、ユーザにとってなじみのある画像なので、違和感や不自然さを感じることが少ない。
【００３１】
なお、ステップ２１１において、低階層の画像となるチャンネルの番組データを取り出すように設定されているときには、すでに、ステップ２１２〜２１４が実行されているときなので、処理はステップ２１１からステップ２０６に進む。また、ステップ２０３において、低階層の画像となる番組データが放送されていないときも、処理はステップ２０３からステップ２０６に進む。
【００３２】
さらに、降雨がなくなったときには、エラーレイトが低くなるので、処理はステップ２０２からステップ２０４に進み、さらにステップ２０５に進むので、高階層の画像となる。
【００３３】
こうして、上述の受像機１００によれば、降雨などにより受信した放送波信号のＣ／Ｎが低下したときには、低階層の画像となるが、この低階層の画像には、ホワイトノイズを重畳するようにしているので、ブロック歪みやモスキートノイズを生じていても、このブロック歪みやモスキートノイズは相対的に目立たなくなる。また、そのホワイトノイズも、アナログテレビ放送において見られるものなので、違和感や不自然さを感じることが少ない。
【００３４】
さらに、そのホワイトノイズの信号は、アナログテレビ放送の受信回路２０が空きチャンネルを受信することにより形成しているので、ホワイトノイズの信号を形成するためのハードウェアを設ける必要がない。
【００３５】
なお、ステップ２０２におけるエラーレイトの基準値ＲTHをユーザが変更できるようにしてもよい。また、重畳回路３１において、低階層の画像のデジタルビデオデータに、ホワイトノイズのデジタルビデオデータを重畳するときの重畳レベルを、ユーザが変更できるようにしてもよい。
【００３６】
さらに、ホワイトノイズのデータをＲＯＭ４２に用意しておき、これをＣＰＵ４１により重畳回路３１に供給することもできる。また、ＣＰＵ４１が演算処理することによりホワイトノイズのデータを形成し、重畳回路３１に供給することもできる。さらに、ＣＲＴ３３は受像機１００とは別体であってもよい。
【００３７】
〔この明細書で使用している略語の一覧〕
Ａ／Ｄ  ：Analog to Digital
ＡＲＩＢ：Association of Radio Industries and Businesses
ＢＳ    ：Broadcasting Satellite
Ｃ／Ｎ  ：Carrier to Noise ratio
ＣＰＵ  ：Central Processing Unit
ＣＲＴ  ：Cathode Ray Tube
ＣＳ    ：Communication Satellite
Ｄ／Ａ  ：Digital to Analog
ＭＰＥＧ：Motion Picture Image Coding Experts Group
ＲＡＭ  ：Random Access Memory
ＲＯＭ  ：Read Only Memory
Ｙ／Ｃ  ：Luminance and Chrominance
【００３８】
【発明の効果】
この発明によれば、降雨などにより受信した放送波信号のＣ／Ｎが低下した場合に、低階層の画像に切り換えたとき、動画像中にブロック歪みやモスキートノイズを生じても、これらブロック歪みやモスキートノイズは相対的に目立たなくなる。
【図面の簡単な説明】
【図１】この発明の一形態を示す系統図である。
【図２】この発明の一形態を示すフローチャートである。
【符号の説明】
１０…デジタルテレビ放送の受信回路、１１…アンテナ端子、１２…フロントエンド回路、１３…デスクランブル回路、１４…デマルチプレクサ回路、１５…ＭＰＥＧデコーダ回路、２０…アナログテレビ放送の受信回路、２１…アンテナ端子、２２…チューナ回路、２３…Ｙ／Ｃ分離回路、２４…Ａ／Ｄコンバータ回路、３１…重畳回路、３２…ビデオ回路、３３…ＣＲＴ、４０…マイクロコンピュータ、４１…ＣＰＵ、４２…ＲＯＭ、４３…ＲＡＭ、４４…ユーザインターフェイス、４５…バス、１００…テレビ受像機、１１１…パラボラアンテナ、１１２…屋外ユニット、１２１…テレビアンテナ、２００…ルーチン
【図１】
0004720027.tif 000002
【図２】
0004720027.tif 000003